(57)【要約】【課題】  着脱自在に組み合わされたランプ部と回路部の円滑な着脱構造を有するランプ装置を提供することにある。【解決手段】  本ランプ装置は、放電発光管１１を有するランプ部２と、電源に接続される口金３および放電発光管１１を点灯するための点灯駆動回路５を有する回路部１とを着脱自在に組み合わせたものである。ランプ部２は、放電発光管１１を保持するインナーケース１０と、放電発光管１１の電極に接続されたランプ部接続手段としての接続ピン７とを備える。回路部１は、接続ピン７に係合し点灯駆動回路５に接続される回路部接続手段としての導電接続金具６と、点灯駆動回路５を収納するアダプターケース４とを備える。接続ピン７はＰ２１口金と同構造の一対の接続ピンを有し、導電接続金具６は一対の接続ピン７を受けるＰ２１受金と同構造の受金を有する。【選択図】  図１
2009104896.tif 000002
【特許請求の範囲】
【請求項１】
発光体を有するランプ部と、電源に接続される口金および前記発光体を点灯するための点灯駆動回路を有する回路部とを着脱自在に組み合わせたランプ装置であって、前記ランプ部は、前記発光体を保持する発光体保持手段と、前記発光体の電極に接続されたランプ部接続手段とを備え、前記回路部は、前記ランプ部接続手段に係合し前記駆動回路に接続される回路部接続手段と、前記点灯駆動回路を収納する収納手段とを備え、前記ランプ部接続手段がＰ２１口金と同構造の一対の接続ピンを有し、前記回路部接続手段が前記接続ピンを受けるＰ２１受金と同構造の受金を有することを特徴とするランプ装置。
【請求項２】
前記一対の接続ピンのピン中心軸間の距離が１３ｍｍより大きいことを特徴とする請求項１に記載のランプ装置。
【請求項３】
前記一対の接続ピンと同構造の別の一対の接続ピンを有し、前記二対の接続ピンの４つの接続ピンがそれぞれ平面上で正方形の角部に位置するように配置されることを特徴とする請求項１または２に記載のランプ装置。
【請求項４】
前記回路部接続手段が、前記ランプ部接続手段の前記接続ピンをロックする機構を備えたことを特徴とする請求項１から３のいずれかに記載のランプ装置。
【発明の詳細な説明】
【技術分野】
【０００１】
本発明はランプ装置に係り、特に口金、発光体及びそれを点灯するための例えばインバータ式点灯駆動回路を備え、着脱自在に組み合わされたランプ部と回路部とを有するランプ装置に関するものである。
【背景技術】
【０００２】
近年、省エネルギー等を目的として、インバータ式点灯駆動回路を内蔵した電球形やコンパクト形の蛍光ランプ等のランプ装置が多く使用されるようになってきた。
【０００３】
この種の蛍光ランプは、例えば特許文献１に記載されている。このような、従来のインバータ式点灯駆動回路を内蔵した電球形やコンパクト形の蛍光ランプにあっては、放電発光管とインバータ式点灯駆動回路が一体化されている。そのため、寿命に至った放電発光管の交換については構造上考慮されておらず、インバータ式点灯駆動回路を内蔵した蛍光ランプ全体を交換するしかなかった。
【特許文献１】特開２００２−１５７０２号公報
【発明の開示】
【発明が解決しようとする課題】
【０００４】
蛍光ランプが寿命に至った場合、従来のように蛍光ランプ全体を交換するのではなく、放電発光管とインバータ式点灯駆動回路が着脱自在に組み合わされたランプ部及び回路部から成る蛍光ランプを作製し、ランプ寿命時にはランプ部だけを交換し回路部は再利用することが考えられる。このような構成によれば、近年の更なる省エネルギー、省資源化の要求に沿うものになると期待されるが、それにはランプ装置としての使い勝手の向上が欠かせない。その一つの手段として、ランプ装置におけるランプ部と回路部の円滑な着脱構造が必要である。
【０００５】
従って本発明の目的は、着脱自在に組み合わされたランプ部と回路部の円滑な着脱構造を有するランプ装置を提供することにある。
【課題を解決するための手段】
【０００６】
上記目的は、発光体を有するランプ部と、電源に接続される口金および前記発光体を点灯するための点灯駆動回路を有する回路部とを着脱自在に組み合わせたランプ装置であって、前記ランプ部は、前記発光体を保持する発光体保持手段と、前記発光体の電極に接続されたランプ部接続手段とを備え、前記回路部は、前記ランプ部接続手段に係合し前記駆動回路に接続された回路部接続手段と、前記点灯駆動回路を収納する収納手段とを備え、前記ランプ部接続手段がＰ２１口金と同構造の一対の接続ピンを有し、前記回路部接続手段が前記接続ピンを受けるＰ２１受金と同構造の受金を有するランプ装置によって達成される。
【０００７】
ここで、前記一対の接続ピンのピン中心軸間の距離は１３ｍｍより大きいことが好ましい。また、前記一対の接続ピンと同構造の別の一対の接続ピンを有し、前記二対の接続ピンの４つの接続ピンはそれぞれ平面上で正方形の角部に位置するように配置されることが好ましい。さらに、前記回路部接続手段は、前記ランプ部接続手段の前記接続ピンをロックする機構を備えることが好ましい。
【０００８】
このような構成により、ランプ部と回路部は円滑に着脱することができる。ランプ部接続手段に上記のようにＰ２１口金を応用した場合、回路部接続手段にランプ部以外のＰ２１口金を採用した例えばＰ形点灯管を誤使用してしまう可能性がある。これに対しては、例えばランプ部のみ着脱できるよう、誤使用防止キーを設置することで対応可能である。
【０００９】
もしくは、ランプ部接続手段で応用したＰ２１口金の一対の接続ピン設置面に略垂直方向にある一対の接続ピン中心軸間の距離を変更することで誤使用に対応可能である。本来、Ｐ２１口金の一対の接続ピン中心軸間の距離は１２.５ｍｍ〜１２.９ｍｍであるが、本発明に係るランプ装置においては、この１２.５ｍｍ〜１２.９ｍｍを除く、５.０ｍｍ〜１００.０ｍｍとすることが好ましい。５.０ｍｍ未満であると、一対の接続ピン中心軸間の距離が短すぎて互いの接続ピンが接触してしまう恐れがあり、接続機構に支障を来たす可能性がある。上記接続ピンのピン中心軸間の距離を１３ｍｍより大きくすることで、このような問題および誤使用をさらに好適に避けることができる。また、電球形やコンパクト形の蛍光ランプにあっては、白熱電球代替品との観点があることから、外観寸法が最大である１００Ｗ形ボール電球並みの１００.０ｍｍ以上は必要ないので、これを上限とすることができる。
【００１０】
また、Ｐ２１口金は一対の接続ピンで構成されており、これをランプ部に１つ応用するのは、ランプ装置の点灯において予熱が不必要の方式の場合か、または予熱が必要な方式であるが予熱に関わる回路部品がランプ部に含まれている場合である。すなわち、発光体（放電発光管）の一対の電極に接続された４本のリード線の内、２本のみがＰ２１口金を応用した一対の接続ピンにそれぞれ接続される。
【００１１】
一方、ランプ装置の点灯において、予熱が必要な方式であり、かつ予熱に関わる回路部品も回路部に含まれている場合は、発光体の一対の電極に接続された４本のリード線の全てがランプ部の接続ピンにそれぞれ接続される必要がある。そのため、Ｐ２１口金の一対の接続ピンを２つ応用して、合計４つの接続ピンを設ける。すなわち、ランプ部接続手段は、Ｐ２１口金を１つ応用した上、Ｐ２１口金の一対の接続ピン設置面における一対の接続ピン間距離の中心点を基点として一対の接続ピン間距離から９０°の場所にもう１つのＰ２１口金を応用することにより、接続ピンが４つとなる。すなわち、４つの接続ピンはそれぞれ平面上で正方形の角部に位置するように配置される。
【００１２】
Ｐ２１口金と同構造の一対の接続ピンの細部寸法は変更しても構わない。また、回路部接続手段のピン受金は、ランプ部接続手段の接続ピンに係合するように構成される。
【００１３】
電源に接続される回路部の口金が例えばＥ形口金（片口金）である場合は、ランプ部を握ってランプ装置をＥ形ソケットから外す際、回路部に取り付けられているランプ部も連動して回路部から外れてしまうおそれがある。そこで、ランプ部接続手段に係合する回路部接続手段は、ランプ部接続手段をロックする機構を備えることができる。すなわち、回路部接続手段におけるランプ部接続手段の回転軌道上に弁を設けることにより、回路部へのランプ部装着の場合はロック状態にならず、取り外す場合はロック状態となるように構成する。このロック状態を解除することにより取り外しが可能となる。このように、回路部接続手段は、前記ランプ部接続手段の前記接続ピンをロックする機構を備えることが好ましい。
【発明の効果】
【００１４】
本発明によれば、着脱自在に組み合わされたランプ部と回路部の円滑な着脱構造を有するランプ装置を得ることができる。
【発明を実施するための最良の形態】
【００１５】
以下、本発明に係るランプ装置の実施例を蛍光ランプの場合を例にとって図面にしたがって説明する。図中に記載する参照符号は以下に説明する各実施例において全て共通符号とする。各図において、参照符号１は本発明の第１の実施例に係る蛍光ランプの回路部、２は本発明の第１の実施例と第３の実施例に係る蛍光ランプのランプ部、３はＥ２６口金、４はアダプターケース（収納手段）、５はインバータ式点灯駆動回路、６は接続ピンとインバータ式点灯駆動回路との導電接続金具（回路部接続手段）、７は接続ピン（ランプ部接続手段）、８は接続ピンと発光管電極部との接続リード線、９はアウターケース、１０はインナーケース（発光体保持手段）、１１は放電発光管（発光体）、１２はガラスグローブ、１３、１４は放電発光管の電極、１５は予熱コンデンサ、１６はサーミスタ、１７はＰ２１口金の一対の接続ピン中心軸間の距離、１８は接続ピンに係合する受金の溝、１９は本発明の第２の実施例に係る蛍光ランプの回路部、２０は本発明の第２の実施例に係る蛍光ランプのランプ部、２１は二対の接続ピンの設置角度、２２は本発明の第３の実施例に係る蛍光ランプの回路部、２３は接続ピンのロック部材、２４は爪部、２５はばね保持部、２６はばね、２７はロック部材を保持するリブである。
【実施例１】
【００１６】
図１は本発明の第１の実施例に係る着脱自在に組み合わされた回路部及びランプ部から成る蛍光ランプを示す図である。図示のように、本蛍光ランプは、放電発光管（発光体）１１を有するランプ部２と、電源に接続される口金３および放電発光管１１を点灯するためのインバータ式点灯駆動回路５を有する回路部１とを着脱自在に組み合わせたものである。ランプ部２は、放電発光管１１を保持するインナーケース（発光体保持手段）１０と、放電発光管１１の電極に接続された接続ピン（ランプ部接続手段）７とを備える。回路部１は、接続ピン７に係合しインバータ式点灯駆動回路５に接続される導電接続金具（回路部接続手段）６と、点灯駆動回路５を収納するアダプターケース（収納手段）４とを備える。接続ピン７はＰ２１口金と同構造の一対の接続ピンを有し、導電接続金具６は接続ピン７を受けるＰ２１受金と同構造の受金を有する。
【００１７】
回路部１とランプ部２は後述する構造によって着脱自在である。回路部１は、電源ソケットに接続されるＥ２６口金３と、これに固着されたアダプターケース４と、このケース内に収納されたインバータ式点灯駆動回路５とを備えている。ランプ部２は、一対の電極を有し内面に蛍光体が塗布された放電発光管１１と予熱回路構成部品である予熱コンデンサとサーミスタ（図示せず）と、これを保持するインナーケース１０とを備えている。放電発光管１１はその両端部でインナーケース１０に保持され、予熱コンデンサとサーミスタはインナーケース１０の円筒状部分に収納されている。放電発光管１１の両端部の一対の電極にはランプ部接続手段としてのＰ２１口金を応用した接続ピン７が接続され、この接続ピン７に係合する回路部接続手段としての導電接続金具６が回路部１の対応個所に備えられている。放電発光管１１の両端部の他の一対の電極には予熱回路構成部品である予熱コンデンサとサーミスタが並列に接続されている。この構成により、放電発光管と回路部への電気的接続のための接続ピン７は２本、すなわちＰ２１口金は一対で済む。
【００１８】
このように、接続ピン７と接続金具６とが電気的に接続した状態で係合することにより、回路部１とランプ部２とが一体に接合し、蛍光ランプとして点灯できる状態になる。逆に、これらの接続ピン７と導電接続金具６との接続を外すことにより、回路部１とランプ部２とが分離し、ランプ部２の交換が可能になる。
【００１９】
図２は、予熱方式のインバータ点灯駆動回路における予熱回路構成例を示す図である。インバータ点灯駆動回路５は、商用交流電源３０から得られる直流電圧から変換した高周波交流電圧を放電発光管１１にインバータ方式で印加するものである。予熱コンデンサ１５は放電発光管１１の電極１３、１４を介して接続されており、点灯駆動回路５に電源が投入されてから放電発光管１１が放電を開始するまでの予熱期間、予熱コンデンサ１５に流れる大電流で電極１３、１４を予熱することができる。
【００２０】
この予熱期間と予熱電流は予熱コンデンサ１５に並列に接続されているサーミスタ１６によって制御される。このサーミスタ１６はキュリー温度以下で抵抗値が小さく、キュリー温度を超えると抵抗値が上昇する正の特性を有しており、この抵抗変化を利用することによって負荷回路のインピーダンスを変化させ、回路に流れる共振電流の大きさを制御している。ランプが点灯している間はサーミスタ１６の抵抗値が大きいため電流はほとんど流れず、共振電流は予熱コンデンサ１５と放電発光管１１に分流して流れる。
【００２１】
インバータ点灯駆動回路には寿命末期電圧検知回路（図示せず）を内蔵させることにより、寿命に至った放電発光管は回路部１からランプ部２を分離させ、ランプ部２のみを新しいものに交換することによって、再び良好な点灯状態を取り戻すことができる。その結果、回路部１を長期間使用することができる。
【００２２】
図３は本発明の第１の実施例に係る着脱自在に組み合わされた回路部及びランプ部から成る蛍光ランプのランプ部を示す図で、（ａ）は接続ピン側の平面図、（ｂ）は一部を切り欠いた側面図である。図４はそのランプ部の接続ピン設置面からみた拡大図である。応用したＰ２１口金の一対の接続ピン設置面に略垂直方向の一対の接続ピン中心軸間の距離１７は、本来のＰ２１口金の一対の接続ピン中心軸間の距離である１２.５ｍｍ〜１２.９ｍｍを除いた、５.０ｍｍ〜１００.０ｍｍとすることが好ましいが、さらに好適には１３．０ｍｍ〜１００.０ｍｍである。ここで下限の１３．０ｍｍはＰ２１口金の一対の接続ピン中心軸間の距離より大きい値としたものであり、上限の１００.０ｍｍはこの種のランプの１００Ｗのものの外径の値に基づくものである。
【００２３】
図５は本発明の第１の実施例に係る着脱自在に組み合わされた回路部及びランプ部から成る蛍光ランプの回路部を示す図で、（ａ）は一部を切り欠いた側面図、（ｂ）は受金側の平面図である。図６はその回路部の受金の内部からみた、接続ピンと受金の係合状態を示す図で、（ａ）は未接続状態、（ｂ）は接続状態を示す。未接続状態では、各接続ピン７が受金の溝１８に挿入された状態のみで、各接続ピン７と各導電接続金具６は電気的に未接続状態である。接続状態では、各接続ピン７が受金の溝１８に挿入されたうえ、回転軌道に沿って受金の溝１８内を移動して各導電接続金具６と電気的接続状態となる。
【実施例２】
【００２４】
図７は本発明の第２の実施例に係る着脱自在に組み合わされた回路部及びランプ部から成る蛍光ランプのランプ部を示す図で、（ａ）は接続ピン側の平面図、（ｂ）は一部を切り欠いた側面図である。図８はそのランプ部の接続ピン設置面からみた拡大図である。図９は本発明の第２の実施例に係る着脱自在に組み合わされた回路部及びランプ部から成る蛍光ランプの回路部を示す図で、（ａ）は一部を切り欠いた側面図、（ｂ）は受金側の平面図である。図１０はその回路部の受金の内部からみた、接続ピンと受金の係合状態を示す図で、（ａ）は未接続状態、（ｂ）は接続状態を示す。
回路部１９とランプ部２０は後述する構造によって着脱自在である。本発明の第２の実施例では、予熱回路構成部品である予熱コンデンサとサーミスタは回路部１９内に設置しており、ランプ部２０のインナーケース１０内には収納されていない。このため、ランプ部２０の放電発光管の一対の電極に接続された４本のリード線の全てを接続ピン７にそれぞれ接続させる必要があり、Ｐ２１口金を１つ応用した上、応用したＰ２１口金の一対の接続ピン設置面における一対の接続ピン間距離の中心点を基点として一対の接続ピン間距離からの設置角度２１が９０°の場所にもう１つのＰ２１口金を応用した。この構成により、放電発光管と回路部への電気的接続のための接続ピン７は４本となる。
【００２５】
このように、接続ピン７と導電接続金具６とが電気的に接続した状態で係合することにより、回路部１９とランプ部２０とが一体に接合し、蛍光ランプとして点灯できる状態になる。逆に、これらの接続ピン７と導電接続金具６との接続を外すことにより、回路部１９とランプ部２０とが分離し、ランプ部２０の交換が可能になる。
未接続状態では、各接続ピン７が受金の溝１８に挿入された状態のみで、各接続ピン７と各導電接続金具６は電気的に未接続状態である。接続状態では、各接続ピン７が受金の溝１８に挿入されたうえ、回転軌道に沿って受金の溝１８内を移動して各導電接続金具６と電気的接続状態となる。
【実施例３】
【００２６】
図１１は本発明の第３の実施例に係る着脱自在に組み合わされた回路部及びランプ部から成る蛍光ランプを示す図である。図において、回路部２２とランプ部２は後述する構造によって着脱自在である。回路部２２は、電源ソケットに接続されるＥ２６口金３と、これに固着されたアダプターケース４と、このケース内に収納されたインバータ式点灯駆動回路５を備えている。ランプ部２は、一対の電極を有し内面に蛍光体が塗布された放電発光管１１と予熱回路構成部品である予熱コンデンサとサーミスタ（図示せず）と、これを保持するインナーケース１０とを備えている。放電発光管１１はその両端部でインナーケース１０に保持され、予熱コンデンサとサーミスタはインナーケース１０の円筒状部分に収納されている。
【００２７】
放電発光管１１の両端部の一対の電極にはランプ部接続手段としてＰ２１口金を応用した接続ピン７が接続され、この接続ピン７に係合する回路部接続手段として導電接続金具６が回路部２２の対応個所に備えられている。放電発光管１１の両端部の他の一対の電極には予熱回路構成部品である予熱コンデンサとサーミスタが並列に接続されている。この構成により、放電発光管と回路部への電気的接続のための接続ピン７は２本、すなわちＰ２１口金は一対で済む。
【００２８】
このように、接続ピン７と導電接続金具６とが電気的に接続した状態で係合することにより、回路部２２とランプ部２とが一体に接合し、蛍光ランプとして点灯できる状態になる。逆に、これらの接続ピンと導電接続金具との接続を外すことにより、回路部２２とランプ部２とが分離し、ランプ部２の交換が可能になる。
【００２９】
ここで、電源に接続される回路部の片口金がＥ形口金であるため、ランプ部を握って本発明品をＥ形ソケットから外す際、回路部に取り付けられていたランプ部も連動して回路部から外れてしまう場合がある。そこで、応用したＰ２１口金に係合するＰ２１受金には、Ｐ２１口金の接続ピン７をロックする機構を備えており、回路部２２へのランプ部２の着脱の際、接続ピンのロック部材２３が可動する。すなわち、Ｐ２１受金におけるＰ２１口金の回転軌道上に弁の機能を有する接続ピンのロック部材２３を設けることにより、回路部へのランプ部２装着の場合はロック状態にならず、取り外す場合はロック状態となる。ロック状態を解除することにより取り外しが可能となる。
【００３０】
図１２は、接続ピンのロック部材２３の展開図である。接続ピンのロック部材２３は、接続ピン７と接触することから、絶縁性であり、さらに強度や耐熱性や耐候性を持ち合わせた、樹脂やセラミックなどの材料で形成されていることが望ましい。爪部２４は略直角三角形状とすることで、弁の機能を有することができる。また、このロック機構の動作原理としてばねの作用を利用していることから、ばね保持部２５を有する。
【００３１】
図１３は本発明の第３の実施例に係る着脱自在に組み合わされた回路部及びランプ部から成る蛍光ランプの回路部を示す図で、（ａ）は一部を切り欠いた側面図、（ｂ）はロック状態の受金側の平面図、（ｃ）はロック解除状態の受金側の平面図である。図１４はその回路部の受金の内部からみた、接続ピンと受金の係合状態を示す図で、（ａ）は未接続かつロック状態、（ｂ）は接続かつロック状態、（ｃ）は接続かつロック解除状態、（ｄ）は未接続かつロック解除状態を示す。
【００３２】
ランプ部２を回路部２２に装着する際、未接続かつロック状態の図１４（ａ）では、各接続ピン７が受金の溝１８に挿入された状態のみで、各接続ピン７と各接続金具６は電気的に未接続状態である。次にこの状態から接続ピン７を受金の溝１８の回転軌道にそって回転させると、接続ピン７は溝１８の回転軌道上で、接続ピンのロック部材２３を構成する爪部２４の略直角三角形状の斜辺に接触する。すると、接続ピン７は爪部２４の斜辺を滑るように接続ピンのロック部材２３を押し退けて回転を継続し、導電接続金具６に到達する。一方、接続ピンによって押し退けられたロック部材２３はばねの作用によりロック部材を保持するリブ２７に沿って所定の位置に戻る。これが接続かつロック状態の図１４（ｂ）となる。
【００３３】
ランプ部２を回路部２２から取り外す際、接続かつロック解除状態の図１４（ｃ）では、アダプターケース４から外部にはみ出ているロック部材２３を内部に押し込むことによって、ロックが解除される。ロックが解除されていない状態で接続ピン７を受金の溝１８の回転軌道にそって回転させようとすると、接続ピン７はロック部材２３を構成する爪部２４の略直角三角形状の一辺に接触する。すると、接続ピン７は爪部２４の略直角三角形状の一辺とはほぼ垂直に位置するためロック部材２３を押し退けることができずロックされる。未接続かつロック解除状態の図１４（ｄ）では、ロックが解除されて、接続ピン７を受金の溝１８の回転軌道にそって回転させた状態である。
【００３４】
以上のように、本発明に係るランプ装置によれば、例えば蛍光ランプにおいて、電源に接続される口金（片口金）と、一対の電極を有し内面に蛍光体が塗布された放電発光管と、その放電発光管を点灯するためのインバータ式点灯駆動回路を備え、着脱自在に組み合わされたランプ部及び回路部から成る蛍光ランプは、ランプ接続手段としてＰ２１口金とＰ２１受金を１つもしくは２つ応用し、応用したＰ２１口金の一対の接続ピン中心軸間の距離は１２.５ｍｍ〜１２.９ｍｍを除く、５.０ｍｍ〜１００.０ｍｍとし、さらに、応用したＰ２１口金に係合するＰ２１受金には、Ｐ２１口金の接続ピンをロックする機構を備えることによりランプ部と回路部とが円滑に着脱することができる蛍光ランプを得ることができる。
なお、上記実施例では放電発光管を用いた蛍光ランプについて説明したが、本発明はこれに限るものではなく、発光体として例えばＨＩＤ管やＬＥＤを用いたランプ装置にも適用することができる。また、ガラスグローブ１２を設けないランプ装置にも適用することができる。
【産業上の利用可能性】
【００３５】
本発明はランプ装置に係り、特に口金、発光体及びそれを点灯するための例えばインバータ式点灯駆動回路を備え、着脱自在に組み合わされたランプ部と回路部とを有するランプ装置に関するものであり、産業上の利用可能性がある。
【図面の簡単な説明】
【００３６】
【図１】本発明の第１の実施例に係る着脱自在に組み合わされた回路部及びランプ部から成る蛍光ランプを示す図である。
【図２】予熱方式のインバータ点灯駆動回路における予熱回路構成例を示す図である。
【図３】本発明の第１の実施例に係る着脱自在に組み合わされた回路部及びランプ部から成る蛍光ランプのランプ部を示す図で、（ａ）は接続ピン側の平面図、（ｂ）は一部を切り欠いた側面図である。
【図４】図３に示すランプ部の接続ピン設置面からみた拡大図である。
【図５】本発明の第１の実施例に係る着脱自在に組み合わされた回路部及びランプ部から成る蛍光ランプの回路部を示す図で、（ａ）は一部を切り欠いた側面図、（ｂ）は受金側の平面図である。
【図６】図５に示す回路部の受金の内部からみた、接続ピンと受金の係合状態を示す図で、（ａ）は未接続状態、（ｂ）は接続状態を示す。
【図７】本発明の第２の実施例に係る着脱自在に組み合わされた回路部及びランプ部から成る蛍光ランプのランプ部を示す図で、（ａ）は接続ピン側の平面図、（ｂ）は一部を切り欠いた側面図である。
【図８】図７に示すランプ部の接続ピン設置面からみた拡大図である。
【図９】本発明の第２の実施例に係る着脱自在に組み合わされた回路部及びランプ部から成る蛍光ランプの回路部を示す図で、（ａ）は一部を切り欠いた側面図、（ｂ）は受金側の平面図である。
【図１０】図９に示す回路部の受金の内部からみた、接続ピンと受金の係合状態を示す図で、（ａ）は未接続状態、（ｂ）は接続状態を示す。
【図１１】本発明の第３の実施例に係る着脱自在に組み合わされた回路部及びランプ部から成る蛍光ランプを示す図である。
【図１２】接続ピンのロック部材２３の展開図である。
【図１３】本発明の第３の実施例に係る着脱自在に組み合わされた回路部及びランプ部から成る蛍光ランプの回路部を示す図で、（ａ）は一部を切り欠いた側面図、（ｂ）はロック状態の受金側の平面図、（ｃ）はロック解除状態の受金側の平面図である。
【図１４】図１３に示す回路部の受金の内部からみた、接続ピンと受金の係合状態を示す図で、（ａ）は未接続かつロック状態、（ｂ）は接続かつロック状態、（ｃ）は接続かつロック解除状態、（ｄ）は未接続かつロック解除状態を示す。
【符号の説明】
【００３７】
１  本発明の第１の実施例に係る蛍光ランプの回路部
２  本発明の第１の実施例と第３の実施例に係る蛍光ランプのランプ部
３  Ｅ２６口金
４  アダプターケース（収納手段）
５  インバータ式点灯駆動回路
６  導電接続金具（回路部接続手段）
７  接続ピン（ランプ部接続手段）
８  接続ピンと発光管電極部との接続リード線
９  アウターケース
１０  インナーケース（発光体保持手段）
１１  放電発光管（発光体）
１２  ガラスグローブ
１３、１４  放電発光管の電極
１５  予熱コンデンサ
１６  サーミスタ
１７  Ｐ２１口金の一対の接続ピン中心軸間の距離
１８  接続ピンに係合する受金の溝
１９  本発明の第２の実施例に係る蛍光ランプの回路部
２０  本発明の第２の実施例に係る蛍光ランプのランプ部
２１  二対の接続ピンの設置角度
２２  本発明の第３の実施例に係る蛍光ランプの回路部
２３  接続ピンのロック部材
２４  爪部
２５  ばね保持部
２６  ばね
２７  ロック部材を保持するリブ
３０  商用交流電源
【図１】
2009104896.tif 000003
【図２】
2009104896.tif 000004
【図３】
2009104896.tif 000005
【図４】
2009104896.tif 000006
【図５】
2009104896.tif 000007
【図６】
2009104896.tif 000008
【図７】
2009104896.tif 000009
【図８】
2009104896.tif 000010
【図９】
2009104896.tif 000011
【図１０】
2009104896.tif 000012
【図１１】
2009104896.tif 000013
【図１２】
2009104896.tif 000014
【図１３】
2009104896.tif 000015
【図１４】
2009104896.tif 000016